(57)【要約】【課題】吸収パッドを強固に保持できるパンツ型使い捨ておむつカバーを提供する。【解決手段】前身頃Ｆと後身頃Ｂとが股間部および両側部でそれぞれ連続するように形成され、かつそれによってウエスト開口部２３及び左右一対のレッグ開口部が形成されており、内面に吸収パッド１０が着脱自在に取り付けられるパンツ型使い捨ておむつカバーに対して、前身頃Ｆ及び後身頃Ｂのそれぞれにおけるウエスト開口部２３に沿って一方の側部から他方の側部まで到達するウエスト部弾性部材２４を上下方向に間隔をおいて複数本配置し、前身頃Ｆ及び後身頃Ｂのそれぞれに、幅方向一方側における上下方向中央よりも上側から幅方向他方側における上下方向中央よりも上側まで延在し且つ幅方向中間部に近づくにつれて股間側に湾曲するように延在する湾曲弾性部材２６，２８を、互いに交差することなく間隔をおいて複数本配置し、かつ前身頃Ｆにおいて、少なくとも一本の湾曲弾性部材２８の湾曲部分が吸収パッド１０の上端部両側を通るように構成する。【選択図】図１
2007113978.tif 000002
【特許請求の範囲】
【請求項１】
前身頃と後身頃とが股間部および両側部でそれぞれ連続するように形成され、かつそれによってウエスト開口部及び左右一対のレッグ開口部が形成されており、内面に吸収パッドが着脱自在に取り付けられるパンツ型使い捨ておむつカバーであって、
前記前身頃及び後身頃のそれぞれにおける前記ウエスト開口部に沿って一方の側部から他方の側部まで到達するウエスト部弾性部材が上下方向に間隔をおいて複数本配置され、
前記前身頃及び後身頃のそれぞれに、幅方向一方側における上下方向中央よりも上側から幅方向他方側における上下方向中央よりも上側まで延在し且つ幅方向中間部に近づくにつれて股間側に湾曲するように延在する湾曲弾性部材が互いに交差することなく間隔をおいて複数本配置されており、かつ
前記前身頃において、少なくとも一本の前記湾曲弾性部材の湾曲部分が、前記吸収パッドを取り付けた状態で吸収パッドの上端部両側を通るように構成されている、
ことを特徴とするパンツ型使い捨ておむつカバー。
【請求項２】
前記後身頃において、前記湾曲弾性部材における湾曲部分のうち先端部分が股間側から離間する方向に突出するように配置されている、請求項１記載のパンツ型おむつカバー。
【請求項３】
少なくとも一本の前記湾曲弾性部材の始端及び終端が、前記ウエスト開口部に位置している、請求項１または２記載のパンツ型使い捨ておむつカバー。
【請求項４】
前記前身頃及び後身頃のそれぞれにおいて、前記ウエスト弾性部材と前記湾曲弾性部材における湾曲部分とが離間しており、少なくともこの離間部分を通るように、腰回り方向に沿って一方の側部から他方の側部まで到達する腰回り弾性部材が上下方向に間隔をおいて複数本配置されている、
請求項１〜３のいずれか１項に記載のパンツ型使い捨ておむつカバー。
【請求項５】
前記前身頃において、少なくとも一本の前記湾曲弾性部材の湾曲部分が、前記吸収パッドを取り付けた状態で吸収パッドの上端縁を通るように構成されている、請求項１〜４のいずれか１項に記載のパンツ型使い捨ておむつカバー。
【発明の詳細な説明】
【技術分野】
【０００１】
本発明は、内面に吸収パッドが着脱自在に取り付けられるパンツ型使い捨ておむつカバーに関し、特に吸収パッドをずれないように確実に保持できるパンツ型使い捨ておむつカバーに関する。
【背景技術】
【０００２】
パンツ型使い捨ておむつカバーは、内面に吸収パッドが着脱自在に取り付けられるものであり、成人用途から幼児用途まで広く用いられている（特許文献１、２参照）。
しかしながら、従来のおむつカバーは、吸収パッドを強固に保持できず、ずれ易いという問題点があった。
【特許文献１】特開２００１−２９３７５号公報
【特許文献２】実登３０５８２５９号公報
【発明の開示】
【発明が解決しようとする課題】
【０００３】
そこで、本発明の主たる課題は、吸収パッドを強固に保持できるパンツ型使い捨ておむつカバーを提供することにある。
【課題を解決するための手段】
【０００４】
上記課題を解決した本発明は次記のとおりである。
＜請求項１記載の発明＞
前身頃と後身頃とが股間部および両側部でそれぞれ連続するように形成され、かつそれによってウエスト開口部及び左右一対のレッグ開口部が形成されており、内面に吸収パッドが着脱自在に取り付けられるパンツ型使い捨ておむつカバーであって、
前記前身頃及び後身頃のそれぞれにおける前記ウエスト開口部に沿って一方の側部から他方の側部まで到達するウエスト部弾性部材が上下方向に間隔をおいて複数本配置され、
前記前身頃及び後身頃のそれぞれに、幅方向一方側における上下方向中央よりも上側から幅方向他方側における上下方向中央よりも上側まで延在し且つ幅方向中間部に近づくにつれて股間側に湾曲するように延在する湾曲弾性部材が互いに交差することなく間隔をおいて複数本配置されており、かつ
前記前身頃において、少なくとも一本の前記湾曲弾性部材の湾曲部分が、前記吸収パッドを取り付けた状態で吸収パッドの上端部両側を通るように構成されている、
ことを特徴とするパンツ型使い捨ておむつカバー。【０００５】
（作用効果）
本発明では上記のような湾曲弾性部材を備えることにより、腹側において、吸収パッドの上端部両側が幅方向に広げられつつ上方に持ち上げられるようになり、吸収パッドをずれないように身体に強固に保持できるようになる。よって、尿の漏れ形態として最も発生し易い前漏れを効果的に防止できる。なお、「前身頃と後身頃とが股間部および両側部でそれぞれ連続する」とは、素材自体が切り離されずに連続しているものの他、素材は切り離されるが、製品となるまでに接着剤やヒートシール等により接合されることにより連続するに至ったものも含む意味である。【０００６】
＜請求項２記載の発明＞
前記後身頃において、前記湾曲弾性部材における湾曲部分のうち先端部分が股間側から離間する方向に突出するように配置されている、請求項１記載のパンツ型おむつカバー。【０００７】
（作用効果）
湾曲弾性部材が本項記載のような突出部分を備えていると、この突出部分によって吸収パッドが臀裂内に押し付けられ、フィット性が高まるため非常に好ましい。【０００８】
＜請求項３記載の発明＞
少なくとも一本の前記湾曲弾性部材の始端及び終端が、前記ウエスト開口部に位置している、請求項１または２記載のパンツ型使い捨ておむつカバー。【０００９】
（作用効果）
本項記載のように、湾曲弾性部材がウエスト開口部に始端および終端を有していると、吸収パッドの持ち上げ力がより強くなるため好ましい。【００１０】
＜請求項４記載の発明＞
前記前身頃及び後身頃のそれぞれにおいて、前記ウエスト弾性部材と前記湾曲弾性部材における湾曲部分とが離間しており、少なくともこの離間部分を通るように、腰回り方向に沿って一方の側部から他方の側部まで到達する腰回り弾性部材が上下方向に間隔をおいて複数本配置されている、
請求項１〜３のいずれか１項に記載のパンツ型使い捨ておむつカバー。【００１１】
（作用効果）
湾曲弾性部材の効果を高めるためには、可能な限り股間側に湾曲させると良いが、その場合、ウエスト弾性部材と前記湾曲弾性部材における湾曲部分とが離間し、この離間部分のフィット性が低下するおそれがある。よって、本項記載のように、この離間部分全体を腰回り弾性部材で埋めることで、フィット性の低下を防ぐのは好ましい。【００１２】
＜請求項５記載の発明＞
前記前身頃において、少なくとも一本の前記湾曲弾性部材の湾曲部分が、前記吸収パッドを取り付けた状態で吸収パッドの上端縁を通るように構成されている、請求項１〜４のいずれか１項に記載のパンツ型使い捨ておむつカバー。【００１３】
（作用効果）
本項記載のように構成されていると、前述した本発明の作用効果がより一層顕著に発揮されるようになる。
【発明の効果】
【００１４】
以上のとおり本発明によれば、吸収パッドを強固に保持できるようになる等の利点がもたらされる。
【図面の簡単な説明】
【００１５】
【図１】第１の形態のパンツ型使い捨ておむつカバーの展開図である。
【図２】折り畳み線における断面図である。
【図３】第１の形態の装着状態外観図である。
【図４】第１の形態の装着状態外観図である。
【図５】第１の形態の変形例の展開図である。
【図６】第２の形態のパンツ型使い捨ておむつカバーの展開図である。
【図７】第３の形態のパンツ型使い捨ておむつカバーの展開図である。
【図８】吸収パッドの平面図である。
【図９】(Ａ)は吸収パッドの展開状態での半横断面図、(Ｂ)はその製品状態を示す図である。
【符号の説明】
【００１６】
１０…吸収パッド、１１…透液性表面シート、１２…防漏シート、１３…吸収体、１４…クレープ紙、１５…ギャザー不織布、１６…糸状弾性伸縮部材、２０…パンツ型使い捨ておむつカバー、２１・２２…脇部接合縁、２４…ウエスト部弾性部材、２５…腰回り弾性部材、２６…背側湾曲弾性部材、２８…腹側湾曲弾性部材、２９…脚回りカットライン、Ｆ…前身頃、Ｂ…後身頃。
【発明を実施するための最良の形態】
【００１７】
以下、本発明の実施の形態について図面を参照しながら詳述する。
＜第１の形態＞
第１の形態のパンツ型使い捨ておむつカバー２０は、図１及び図２に示されるように、上層２０Ａ及び下層２０Ｂからなる２層構造の不織布シートからなり、上層２０Ａと下層２０Ｂとの間に各種弾性部材が伸張状態で固定され、伸縮性が付与されている。平面形状は、前後方向中間の股間部で切り離すことなく前身頃Ｆおよび後身頃Ｂを一体的に形成するとともに、股間部の両側部に凹状の脚回りカットライン２９を形成してなり、全体として擬似砂時計形状を成している。この展開状態から、前身頃Ｆと後身頃Ｂとを股間部を境に折り重ね、前身頃Ｆと後身頃Ｂとを両側部において接合することによって、図３及び図４に示すようにウエスト開口部及び左右一対のレッグ開口部を有するパンツ型使い捨ておむつカバー２０となる。【００１８】
おむつカバー２０の（積層構造の場合には各層の）素材としては、不織布、織布、樹脂フィルム等を用いることができ、また有孔または無孔を問わず使用できる。不織布は原料繊維によって限定されるものではないが、例えばポリエチレンまたはポリプロピレン等のオレフィン系、ポリエステル系、ポリアミド系等の合成繊維の他、レーヨンやキュプラ等の再生繊維、綿等の天然繊維を用いた不織布を用いることができる。また、不織布は製造方法によって限定されるものでもないが、例えばスパンレース法、スパンボンド法、サーマルボンド法、メルトブローン法、ニードルパンチ法等の公知の加工法によって製造したものを用いることができる。なお、これらの加工法の内、スパンレース法は柔軟性、ドレープ性に富む点で優れ、サーマルボンド法は嵩高でソフトである点で優れている。また、樹脂フィルムとしては、ポリエチレンフィルム、ポリプロピレンフィルム等のポリオレフィン系樹脂フィルムを用いることができる。【００１９】
弾性部材としては、図１に示されるように、前記前身頃Ｆ及び後身頃Ｂのそれぞれにおけるウエスト開口部２３に沿って一方の側部から他方の側部まで到達するウエスト部弾性部材２４，２４…が上下方向（製品上下方向）に間隔をおいて複数本配置されている。また、前身頃Ｆ及び後身頃Ｂのそれぞれに、幅方向一方側における上下方向中央よりも上側の部位（図示形態では前身頃Ｆと後身頃Ｂとを接合する一方側接合縁）から幅方向他方側における上下方向中央よりも上側の部位（図示形態では前身頃Ｆと後身頃Ｂとを接合する他方側接合縁）まで延在し且つ幅方向中間部に近づくにつれて股間側に湾曲するように延在する湾曲弾性部材２６…、２８…が互いに交差することなく間隔をおいて複数本配置されている。さらに、図示形態では、前身頃Ｆ及び後身頃Ｂのそれぞれにおいて、ウエスト弾性部材２４と湾曲弾性部材２６，２８における湾曲部分とが離間しており、少なくともこの離間部分を含む上下方向範囲全体に、ウエスト開口部２３に沿って一方の側部から他方の側部まで到達する腰回り弾性部材２５，２５…が上下方向に間隔をおいて複数本配置されている。なお、第１の形態では、脚回りカットライン２９に沿って実質的に連続する、所謂脚回り弾性部材は設けられていない。【００２０】
これらの弾性部材２４，２５，２６，２８としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等のからなる糸状弾性部材を好適に用いることができる。また、ある程度の幅を有するテープ状またはフィルム状弾性部材を用いることもできる。固化後に弾性伸縮するようになる伸縮性ホットメルト接着剤を用いても良い。特に、ウエスト部弾性部材２４および湾曲弾性部材２６，２８としては、糸状弾性部材、テープ状弾性部材が好適である。腰回り弾性部材２５，２５…としては、糸状弾性部材、フィルム状弾性部材、伸縮性ホットメルト接着剤が好適である。【００２１】
また、これらの弾性部材２４，２５，２６，２８は、太さは２００〜３０００ｄｔｅｘ以下、テンションは１５０〜３５０％、間隔は２〜２０ｍｍとして配設するのがよい。特に、ウエスト部弾性部材２４および湾曲弾性部材２６，２８は、太さは２００〜３０００ｄｔｅｘ以下、テンションは１５０〜３００％、間隔は２〜１０ｍｍとして配設するのがよく、また、腰回り弾性部材２５，２５…は、太さは２００〜１０００ｄｔｅｘ以下、テンションは１５０〜２８０％、間隔は２〜２０ｍｍとして配設するのがよい。【００２２】
以下、各弾性部材について順に詳述する。
ウエスト部弾性部材２４，２４…は、ウエスト開口縁２３近傍に上下方向に間隔をおいて配設された複数条の糸ゴム状弾性部材であり、一方の側部から他方の側部まで連続しており、身体のウエスト部回りを締め付けるように伸縮力を与えるものである。このウエスト部弾性部材２４は、図示例では糸ゴムを用いたが、例えばテープ状の伸縮部材を用いてもよい。ウエスト部弾性部材２４が配置される上下方向範囲は適宜定めることができるが、例えば１〜５ｃｍとすることができる。ウエスト部弾性部材２４は、他の部位よりも強い締め付け力を有しているのが好ましい。【００２３】
腰回り弾性部材２５，２５…は、前身頃Ｆ及び後身頃Ｂのそれぞれにおいて、上下方向に間隔をおいて腰回り方向に沿って配設された糸ゴム状の弾性部材であり、ウエスト弾性部材２４と湾曲弾性部材２６，２８における湾曲部分とが離間する場合に、この離間部分の締め付けを補うものである。したがって、離間部分が無い場合や、離間部分があってもその締め付けを行わない場合には省略することができるものである。腰回り弾性部材２５，２５…は、少なくとも、ウエスト開口部２３の下端から湾曲弾性部材の上端までの範囲内を通過するように設けられれば良いが、特に離間部分の上下方向範囲のうち５０％以上の範囲にわたって設けられるのが好ましい。この限りにおいて、図１に示すように脇部接合縁２１、２２と対応する部分から脚回りカットライン２９の部分までの範囲に設けることも、また図５に示すように脇部接合縁２１、２２と対応する範囲のみに設けることもできる。【００２４】
なお、腰回り弾性部材２５，２５…の内、最もウエスト開口部寄りに位置する弾性部材と、ウエスト部弾性部材２４の最下側のものとの離間距離ＳF，ＳBは２０ｍｍ以内となるように配置されるのが好ましいが、ウエスト部弾性部材２４，２４…と腰回り弾性部材２５、２５…との境界は必ずしも明確でなくてよい。例えば、前身頃Ｆ及び後身頃Ｂに上下方向に間隔をおいて水平方向に配置された弾性部材の内、数は特定できなくても、上部側の何本かがウエスト部弾性部材２４として機能し、残りの弾性部材が腰回り弾性部材として機能していればよい。また、後述する図６に示す例のように、一部の腰回り弾性部材２５がウエスト部弾性部材２４と交差していても良い。【００２５】
湾曲弾性部材２６，２８は、前身頃Ｆ及び後身頃Ｂのそれぞれに設けられるものであり、吸収パッド１０の保持性能を高める機能を有するものである。後身頃Ｂにおける背側湾曲弾性部材２６，２６…は、一方側の脇部接合縁２２からほぼ脚回りカットライン２９に沿うように股間側に延び、股間側を通り反対側の脚回りカットライン２９にほぼ沿いながら他方側の脇部接合縁２２まで連続するように配置された複数本（図１に示す例では８本）の糸ゴム状弾性部材であり、これら背側湾曲弾性部材２６、２６…は互いに交差することなく、間隔をおいて配置されている。この背側湾曲弾性部材２６、２６…は、２，３本程度の弾性伸縮部材を間隔を密にして実質的に一束として配置されるのではなく、所定の伸縮ゾーンを形成するように所定の間隔を空けて、５本以上、好ましくは７本以上配置されるものである。【００２６】
脇部側縁２１，２２における背側湾曲弾性部材２６，２６…の上下方向配置間隔は、股間部における背側湾曲弾性部材２６，２６…の上下方向配置間隔とほぼ同じとされ、かつ背側湾曲弾性部材２６，２６…の内、最も股間側に位置する弾性部材はおむつの股間部折り畳みラインＣＬからの距離ＢＨが±５０ｍｍ以内、好ましくは３５ｍｍ以内となる曲線形状を描くように配置されるのが好ましい。背側湾曲弾性部材２６，２６…の配置間隔を脇部接合縁２１，２２と股間部とで均等配置にすることにより、弾性力が集中せずに均等バランスでカバー２０全体を身体に密着させるようになるとともに、背側湾曲弾性部材２６，２６…が描くラインが股間部近傍領域を通る大波の曲線形状で配置することにより、カバー２０を身体に対してきっちりと密着保持し得るようになる。【００２７】
背側湾曲弾性部材２６，２６…の始端および終端は、前身頃Ｆと後身頃Ｂとの接合縁のほぼ上部から下部の範囲に亘り所定の間隔で配置されるのが好ましく、また、中間部に近づくにつれて湾曲する湾曲部は、吸収パッド１０の側縁との鋭角側交差角αが３５°以上、好ましくは４０°以上、より好ましくは４５°以上となるように配置されるのが好ましい。後身頃Ｂにおいて、このように背側湾曲弾性部材２６が緩い傾斜角度で配置されていると、臀部の膨らみに対し極力沿う方向に伸縮力が作用する結果、臀部を包み込むようにパンツ型使い捨ておむつカバー２０を身体に密着させることができるようになる。その結果、吸収パッド１０を中央側に縮こまらせることがなくなるとともに、確実に身体に密着させることにより漏れ防止効果が高まるようになる。【００２８】
特に、背側湾曲弾性部材２６における湾曲部分のうち先端部分（幅方向中央部分）２６Ｔが股間側から離間する方向（ウエスト開口部側）に局所的に突出するように配置されていると、図４に示すように、この突出部分２６Ｔによって吸収パッド１０が臀裂内に押し付けられ、フィット性が高まるため非常に好ましい。この突出幅ＰＷ及び突出長さＰＬは適宜定めることができるが、一例としては、突出幅ＰＷを１〜５ｃｍ程度、突出長さＰＬを２〜１０ｃｍ程度とすることができる。なお、突出部分２６Ｔは全ての背側湾曲弾性部材２６に設けるのが好ましいが、股間側の一部またはウエスト開口部２３側の一部等、一部のものに設けることもできる。【００２９】
また、背側湾曲弾性部材２６，２６…は、股間部において、おむつの股間部折り畳みラインＣＬを基準に前身頃Ｆ側に偏倚していることが望ましい。股間部において、背側湾曲弾性部材２６，２６…をおむつの股間部折り畳みラインＣＬを基準に前身頃Ｆ側に偏倚させることにより、臀部側で生じるおむつのずり落ちを無くすとともに、パンツ型使い捨ておむつカバー２０の弛みを無くして身体にフィットさせることができる。【００３０】
また、背側湾曲弾性部材２６、２６…は、最も股間側に位置する部位と始終端との前後方向離間距離ＬBが１８０ｍｍ以上、特に２００〜３２０ｍｍとなるように配置されるのが好ましい。装着に際して着用者がウエスト部の脇を掴んで上方に引き上げた際、湾曲弾性部材２６、２６…の弾性力によって紙おむつの後身頃Ｂ側を上方に引上げ易くなり、穿き易さが向上するようになる。【００３１】
一方、前身頃Ｆに設けられる腹側湾曲弾性部材２８，２８…は、一方側の脇部接合縁２１から股間側に延び、股間側を通り他方側の脇部接合縁２１まで連続するとともに、交差することなく間隔をおいて配置された複数本（図１に示す例では６本）の糸状弾性部材であり、これら腹側湾曲弾性部材２８，２８…は、互いに交差することなく、間隔をおいて配置されている。この腹側湾曲弾性部材２８，２８…も、２，３本程度の弾性伸縮部材を間隔を密にして実質的に一束として配置されるのではなく、所定の伸縮ゾーンを形成するように所定の間隔を空けて、５本以上、好ましくは７本以上配置されるものである。【００３２】
脇部側縁２１，２２における腹側湾曲弾性部材２８，２８…の上下方向配置間隔は、股間部の腹側湾曲弾性部材２８，２８…の上下方向配置間隔とほぼ同じとされ、かつ腹側湾曲弾性部材２８，２８…の内、最も股間側に位置する弾性部材はおむつの股間部折り畳みラインＣＬからの距離ＦＨが±５０ｍｍ以内、好ましくは３５ｍｍ以内となる曲線形状を描くように配置されている。腹側湾曲弾性部材２８，２８…の配置間隔を脇部接合縁２１，２２と股間部とで均等配置にすることにより、弾性力が集中せずに均等バランスでカバー２０を身体に密着させるようになるとともに、腹側湾曲弾性部材２８，２８…が描くラインが股間部近傍領域を迂回する大波の曲線形状で配置することにより、カバー２０を身体に対してきっちりと密着保持し得るようになる。【００３３】
腹側弾性部材２８，２８…の始端および終端は、前身頃Ｆと後身頃Ｂとの脇部接合縁２１，２１のほぼ上部から下部の範囲に亘り所定の間隔で配置されるのが好ましく、また、中間部に近づくにつれて湾曲する湾曲部は、吸収パッド１０の側縁との鋭角側交差角θが３０°以下、好ましくは２８°以下となるように配置されるのが好ましい。交差角θは、水平方向分力と鉛直方向分力のバランスから、少なくとも２０°以上とするのが望ましい。身体の前側部分には臀部のような膨らみがないため、ずり落ちが発生し易い傾向にあるが、腹側湾曲弾性部材２８をきつい傾斜角度で配置することでずり落ちを効果的に防止でき、吸収パッド１０を強固に保持できるようになる。【００３４】
特徴的には、本発明では、少なくとも一本、好ましくは複数本の腹側弾性部材２８，２８…の湾曲部が、吸収パッド１０を取り付けた状態で吸収パッド１０の上端部両側を通るように配置される。このように構成されていることにより、図３に示すように、吸収パッド１０の上端部両側が幅方向に広げられつつ上方に持ち上げられるようになり、吸収パッド１０をずれないように身体に強固に保持できるようになる。【００３５】
これらの観点（すなわち湾曲部の交差角および吸収パッド１０の上端部両側上の通過）からは、図５に示すように、少なくとも一本、好ましくは複数本の腹側湾曲弾性部材２８の始端及び終端がウエスト開口部２３に配置されるのも、一つの好ましい形態である。【００３６】
また、腹側湾曲弾性部材２８，２８…は、最も股間側に位置する部位と始終端との前後方向離間距離ＬFが１２０ｍｍ以上、特に１４０〜２５０ｍｍとなるように配置されるのが好ましい。装着に際して着用者がウエスト部の脇をもって上方に引き上げた際、腹側湾曲弾性部材２８、２８…の弾性力によって紙おむつの前身頃Ｆ側を上方に引上げ易くなり、穿き易さが向上するようになる。【００３７】
ところで、腹側湾曲弾性部材２８，２８…の一部と、背側湾曲弾性部材２６，２６…の一部とは交差していてもよいが、図示形態のように、腹側湾曲弾性部材２８，２８…のうち最股間側のものと、背側湾曲弾性部材２６，２６…のうち最股間側のものとは、股間部において互いに交差することなく近接していることが望ましく、その近接幅（ＦＨ−ＢＨ）は、１０〜２０ｍｍとするのが望ましい。股間部において、湾曲弾性部材２８…、２６…によって吸収パッド１０を均等の圧力で身体側に押付け密着させるため、身体との隙間が封鎖され、高い漏れ防止効果が発揮されるようになる。【００３８】
＜第２、第３の形態＞
図６及び図７はボクサータイプのパンツ型おむつカバーへの適用例を示している。図６に示す第２の形態は、脚の付け根を取り囲む脚部３０を有し、前身頃Ｆと後身頃Ｂとが股間部では切り離されているものの、脚部３０の内側（股間側）先端では切り離されずに連続しており、前身頃Ｆと後身頃Ｂとを股間部、脚部３０、および両側部２１，２２でそれぞれ接合することにより、ウエスト開口部２３及び左右一対のレッグ開口部を有するボクサータイプのおむつカバーとなるものである。腰周り弾性部材２５は若干股間部側に湾曲しており、背側湾曲弾性部材２６は図１に示すような突出部を有していない。また、前述の形態と比べると、腹側湾曲弾性部材２８はより鋭角に（ほぼＶ字状に）湾曲しており、背側湾曲弾性部材２６はより緩やかに湾曲している。また、脚部３０には脚回りに沿って脚回り弾性部材３１が設けられている。【００３９】
一方、図７に示す形態は、足回りカットライン２９が凹部形状ではなく、ウエスト開口部２３に対して平行に形成された一本のスリット２９Ｓからなるものであり、前身頃Ｆと後身頃Ｂとが股間部で切り離されずに連続しており、前身頃Ｆと後身頃Ｂとを股間部を境に折り畳み両側部でそれぞれ接合することにより、ウエスト開口部及び左右一対のレッグ開口部を有するボクサータイプのおむつカバーとなるものである。前身頃Ｆ及び後身頃Ｂの実質的に全体にわたりウエスト部弾性部材２４および腰回り弾性部材２５が配置されており、湾曲弾性部材２６，２８はより細かい間隔で配置されているものである。また、脚回りに沿って脚回り弾性部材３１が設けられている。【００４０】
＜吸収パッドの例＞
吸収パッド１０は、カバー内面に対して着脱自在に取り付けられるものである限り、特に限定されるものではないが、例えば図８及び図９に示すように、不織布などからなる透液性表面シート１１と、ポリエチレン等からなる防漏シート１２との間に、綿状パルプなどの吸収体１３を介在させた構造とされ、体液を吸収保持する構造を有するものである。吸収パッド１０はカバー２０の内面に載せるだけでも良いが、固定手段を介して剥離可能に固定するのが好ましい。なお、図９中の「＊」は、この固定手段としての粘着剤層を示している。【００４１】
固定手段は特に限定されるものではないが、粘着剤の他、固定対象の一方に設けたフック部材と他方に設けたループ部材とを係合させて固定するメカニカルファスナー、固定対象の一方に設けた磁石と他方に設けた磁石または磁着金属とを磁着させて固定する磁着手段等を用いることができる。磁石としてはゴム磁石を好適に用いることができる。【００４２】
固定手段を設ける位置は適宜定めることができる。固定手段が粘着剤の場合、粘着剤は吸収パッド１０の外面（防漏シート１２の外面）に設けても、おむつカバー２０の内面に設けても良い。また、固定手段がメカニカルファスナーの場合、吸収パッド１０の外面およびおむつカバーの内面のいずれか一方にフック部材を設け、他方にループ部材を設ける。さらに固定手段が磁着手段の場合、吸収パッド１０の外面およびおむつカバーの内面のいずれか一方に磁石を設け、他方に磁石または磁着金属部材を設ける。【００４３】
固定手段の形状、大きさ、個数は特に限定されないが、吸収パッド１０が着用中にずれないようにするのが好ましく、例えば図１に示すように、固定手段４０を吸収パッド１０の前後端部および前後方向中間部に設けることができる。固定手段の固定力は、吸収パッド１０がずれない程度に強く、かつ、いったん取り付けた吸収パッド１０を外す際に、カバー２０が破損しない程度には弱いように、バランスよく調整するのが好ましい。【００４４】
吸収パッド１０の寸法及びおむつカバー２０に対する取り付け位置は適宜定めることができるが、例えば、吸収パッド１０の上端部の幅は１００〜３４０ｍｍとすることができ、また、おむつカバーのウエスト開口部２３から吸収パッド１０の上端縁までの上下方向離間距離ＬPが８０〜２２０ｍｍとなるように、吸収パッド１０を取り付けることができる。【００４５】
吸収体１３は、図示例では平面形状を略方形状として成形されたものが使用され、その幅寸法は股間部への当たりによって着用者にゴワ付き感を与えない寸法幅となっている。この吸収体１３は、形状保持と透液性表面シート１１を透過した体液の拡散性向上のためにクレープ紙１４によって囲繞されている。なお、吸収体１３としては、嵩を小さくできるエアレイド吸収体を用いるのが望ましい。【００４６】
吸収体１３の表面側（肌当接面側）を覆う透液性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性表面シート１１に多数の透孔を形成した場合には、尿などが速やかに吸収されるようになり、ドライタッチ性に優れたものとなる。透液性表面シート１１は、吸収体１３の側縁部を巻き込んで吸収体１３の裏面側まで延在している。【００４７】
吸収体１３の裏面側（非肌当接面側）を覆う防漏シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。【００４８】
一方、立体ギャザーＢＳを形成するギャザー不織布１５は、図６に示されるように、折返しによって二重シートとした不織布が用いられ、透液性表面シート１１によって巻き込まれた吸収体１３の側縁部をさらにその上側から巻き込んで吸収体１３の裏面側まで延在して接着されている。より具体的には、ギャザー不織布１５は、紙おむつの長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。【００４９】
二重シート不織布によって形成されたギャザー不織布１５の内部には、起立先端側部分に複数本の糸状弾性伸縮部材１６、１６…が配設されている。糸状弾性伸縮部材１６、１６…は、製品状態において図６(Ｂ)に示されるように、弾性伸縮力により吸収体側縁部より突出する不織布部分を起立させて立体ギャザーＢＳを形成するためのものである。【００５０】
防漏シート１２は、二重シート状のギャザー不織布１５の内部まで進入し、図６に示されるように、立体ギャザーＢＳの下端側において防漏壁を構成するようになっている。かかる防漏シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。【００５１】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、糸状弾性伸縮部材に代えて、ある程度の幅を有するテープ状弾性伸縮部材を用いるようにしてもよい。【００５２】
前述のギャザー不織布１５を構成する素材繊維も透液性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【産業上の利用可能性】
【００５３】
本発明は、内面に吸収パッドが着脱自在に取り付けられるパンツ型使い捨ておむつカバーにおいて利用できるものである。
【図１】
2007113978.tif 000003
【図２】
2007113978.tif 000004
【図３】
2007113978.tif 000005
【図４】
2007113978.tif 000006
【図５】
2007113978.tif 000007
【図６】
2007113978.tif 000008
【図７】
2007113978.tif 000009
【図８】
2007113978.tif 000010
【図９】
2007113978.tif 000011
【国際調査報告】
2007113978.tif 000012
2007113978.tif 000013
2007113978.tif 000014
2007113978.tif 000015